(57)【要約】【課題】発光部を撮影レンズから十分に離してレンズケラレを回避できるとともに、発光部が撮影の邪魔にならずに自分撮り撮影が行なえる撮像装置を提供する。【解決手段】撮像装置の正立状態で横方向の画素数が縦方向の画素数より多い撮像素子と、本体１に対し撮像素子の撮像方向と反対側に回転可能に取り付けられて、撮像装置の正立状態で本体１上にチルトアップ可能な表示部３と、その表示部３の表示面４と同一側で、且つ表示部３が本体１上にチルトアップした状態において上部となる位置に設けられた発光部６と、を備える。そして、表示部３は、撮像装置の正立状態で本体１上部の横方向を回転の軸５として本体１上にチルトアップし、その表示部３が本体１上にチルトアップした状態において表示面４と発光部６が撮像素子の撮像方向と同一方向を向く。【選択図】図２
2017097079.tif 000002
【特許請求の範囲】
【請求項１】
撮像装置であって、
当該撮像装置の正立状態で横方向の画素数が縦方向の画素数より多い撮像素子と、
本体に対し前記撮像素子の撮像方向と反対側に回転可能に取り付けられて、当該撮像装置の正立状態で前記本体上にチルトアップ可能な表示部と、
前記表示部の表示面と同一側で、且つ前記表示部が前記本体上にチルトアップした状態において上部となる位置に設けられた発光部と、を備え、
前記表示部は、当該撮像装置の正立状態で前記本体上部の横方向を回転の軸として前記本体上にチルトアップし、
当該撮像装置の正立状態で前記表示部が前記本体上にチルトアップした状態において前記表示面と前記発光部が前記撮像素子の撮像方向と同一方向を向くことを特徴とする撮像装置。
【請求項２】
前記表示部のチルトアップの状態を判定する状態判定手段と、
前記状態判定手段の判定結果に基づいて、前記発光部の発光を制御する発光制御手段と、
を備えることを特徴とする請求項１に記載の撮像装置。
【請求項３】
前記発光制御手段は、前記状態取得手段により、前記表示部が所定の量を超えてチルトアップした状態であると判定された場合、前記発光部での発光が可能となるように制御することを特徴とする請求項２に記載の撮像装置。
【請求項４】
前記発光制御手段は、前記状態取得手段により、前記表示部が前記所定の量を超えてチルトアップした状態ではないと判定された場合、前記発光部での発光を禁止するように制御することを特徴とする請求項２又は３に記載の撮像装置。
【請求項５】
撮像装置が正立状態において横方向の画素数が縦方向の画素数より多い撮像素子と、
前記撮像素子の撮像方向とは反対方向の本体に回転可能に取り付けられ、前記本体にチルトアップ可能な表示部と、
前記表示部の表示面と同一であり、且つ、チルトアップした状態において上部となる面に設けられた発光部と、を備え、
前記表示部は、当該撮像装置が正立状態における上面の横方向を回転の軸とし、当該撮像装置が正立状態における上面方向にチルトアップし、チルトアップした状態においては前記表示部の表示面と前記発光部は前記撮像素子の撮像方向と同一方向を向くことを特徴とする撮像装置の発光部制御方法であって、
前記表示部のチルトアップの状態を判定する状態判定ステップと、
前記状態判定ステップの判定結果に基づいて、前記発光部の発光を制御する発光制御ステップと、
を含む撮像装置の発光部制御方法。
【請求項６】
撮像装置が正立状態において横方向の画素数が縦方向の画素数より多い撮像素子と、
前記撮像素子の撮像方向とは反対方向の本体に回転可能に取り付けられ、前記本体にチルトアップ可能な表示部と、
前記表示部の表示面と同一であり、且つ、チルトアップした状態において上部となる面に設けられた発光部と、を備え、
前記表示部は、当該撮像装置が正立状態における上面の横方向を回転の軸とし、当該撮像装置が正立状態における上面方向にチルトアップし、チルトアップした状態においては前記表示部の表示面と前記発光部は前記撮像素子の撮像方向と同一方向を向くことを特徴とする撮像装置のコンピュータを、
前記表示部のチルトアップの状態を判定する状態判定手段、
前記状態判定手段の判定結果に基づいて、前記発光部の発光を制御する発光制御手段、
として機能させるプログラム。
【発明の詳細な説明】
【技術分野】
【０００１】
本発明は、発光部を備える撮像装置、発光部制御方法、及びプログラムに関する。
【背景技術】
【０００２】
デジタルカメラなどのカメラに配置されたフラッシュ光源等の発光部の配置例として、カメラ本体のレンズ鏡筒を備える前面にフラッシュ光源を設けたものが従来一般的であった。
このような従来のカメラにおいて、フラッシュからの出射光線は、撮影距離が比較的近接の位置においては、レンズ鏡筒とのケラレ影響を受け易く、例えば手持ち自分撮り撮影などの４０〜７０ｃｍぐらいの近距離撮影においては、上述のレンズ鏡筒による光線ケラレの影響を著しく受け易いという欠点があった。
【０００３】
このようなレンズ鏡筒によるケラレ回避手段として、ポップアップ式などの可動式フラッシュが一般的であり、例えば特許文献１において、背面から回動可能にチルトアップ動作する表示部を備える本体の上面に収納及び突出可能にポップアップ動作するフラッシュを備えるカメラが知られる。
【先行技術文献】
【特許文献】
【０００４】
【特許文献１】特開２０１５−１０２７０５号公報
【発明の概要】
【発明が解決しようとする課題】
【０００５】
しかし、特許文献１のようなポップアップ式フラッシュを備えるカメラでは、自分撮り撮影時において、表示部を本体背面から上方に１８０°回転させて撮影を行うことから、表示部の表示エリア内にフラッシュが侵入してくるため、フラッシュが撮影の邪魔になってしまうという欠点があった。
【０００６】
本発明の課題は、発光部を撮影レンズから十分に離してレンズケラレを回避できるとともに、発光部が撮影の邪魔にならずに自分撮り撮影が行なえる撮像装置、発光部制御方法、及びプログラムを提供することである。
【課題を解決するための手段】
【０００７】
以上の課題を解決するため、本発明は、
撮像装置であって、
当該撮像装置の正立状態で横方向の画素数が縦方向の画素数より多い撮像素子と、
本体に対し前記撮像素子の撮像方向と反対側に回転可能に取り付けられて、当該撮像装置の正立状態で前記本体上にチルトアップ可能な表示部と、
前記表示部の表示面と同一側で、且つ前記表示部が前記本体上にチルトアップした状態において上部となる位置に設けられた発光部と、を備え、
前記表示部は、当該撮像装置の正立状態で前記本体上部の横方向を回転の軸として前記本体上にチルトアップし、
当該撮像装置の正立状態で前記表示部が前記本体上にチルトアップした状態において前記表示面と前記発光部が前記撮像素子の撮像方向と同一方向を向くことを特徴とする。
【発明の効果】
【０００８】
本発明によれば、発光部を撮影レンズから十分に離してレンズケラレを回避することができる。
さらに、発光部が撮影の邪魔にならずに自分撮り撮影を行なうことができる。
【図面の簡単な説明】
【０００９】
【図１】本発明を適用した撮像装置の一実施形態の構成を示すもので、カメラの概略正面図である。
【図２】図１のカメラの側面図である。
【図３】応用例を示す側面図である。
【図４】本発明を適用した撮像装置のブロック図である。
【図５】発光制御のフローチャートである。
【発明を実施するための形態】
【００１０】
以下、図を参照して本発明を実施するための形態を詳細に説明する。
（実施形態）
図１及び図２は本発明を適用した撮像装置の一実施形態としてカメラの概略構成を示すもので、１は本体、２は撮影レンズ鏡筒、３は表示部、４は表示画面、５は軸、６はフラッシュ発光部である。
【００１１】
図示のように、本体１は、前面に撮影レンズ鏡筒２を備え、背面に表示部３を備えている。
表示部３は、液晶による表示画面４を有するもので、本体１背面側上部に軸５で本体１背面から本体１上方の垂直状態までチルトアップ動作可能に組み付けられている。
そして、表示部３の表示画面と同一面で、本体１上方に垂直なチルトアップ状態の上部中央にフラッシュ発光部６が設けられている。
【００１２】
ここで、表示画面４は、本体１の正立状態で横方向の画素数が縦方向の画素数より多い横長の表示エリアとなっている。
また、本体１の内部には、図示しないが、撮影レンズ鏡筒２の光軸上に位置する撮像素子が配置されており、この撮像素子は、表示画面４と同様、本体１の正立状態で横方向の画素数が縦方向の画素数より多い構成となっている。
【００１３】
このように、フラッシュ発光部６は、本体１背面から１８０°回転して本体１上に垂直にチルトアップする表示部３の表示画面４と同一面内に配置されている。
すなわち、図２に矢印イで示すように、本体１背面から撮影レンズ鏡筒２側に表示部３が１８０°回転して本体１上に垂直にチルトアップした時の上部にフラッシュ発光部６がくるように配置されている。
【００１４】
こうして、撮影レンズ鏡筒２から十分に離れた位置にフラッシュ発光部６を配置できるため、図２にフラッシュ配光角αで示したように、フラッシュ発光部６からのフラッシュ光線と撮影レンズ鏡筒２とのケラレを容易に回避することが可能となる。
しかも、表示部３が本体１上に垂直にチルトアップした時の表示画面４の表示エリアには、従来のようにフラッシュが邪魔することなく、フラッシュ発光部６の共存が可能となる。
【００１５】
以上のとおり、デジタルカメラにおいて、表示部３の表示画面４と同じ面内にフラッシュ発光部６が配置され、表示部３とフラッシュ発光部３が連動して動き、且つ表示部３を本体１上に垂直にチルトアップ状態にして表示画面４を撮影レンズ鏡筒２と同一方向に向けた状態において、撮影レンズ鏡筒２から表示画面４よりも十分に離れた位置にフラッシュ発光部３が配されるため、自分撮り撮影の時に表示画面４を見ながら、撮影レンズ鏡筒２内の撮影レンズによる光線ケラレのない良好なフラッシュ撮影が可能になるという効果がある。
【００１６】
また、本体１の正立状態で横方向の画素数が縦方向の画素数より多い撮像素子を備えるカメラであり、その撮像素子に対応して横長の表示画面４を有する表示部３が本体１上に垂直なチルトアップ状態において、多くの人数での自撮りを行なうことができる。
【００１７】
さらに、フラッシュ発光部３が撮影レンズ鏡筒２の上部に配置されるため、自撮り時のライティング方向として好ましい上部からの撮りおろし発光ができるという利点がある。
【００１８】
次に、図３はカメラの応用例を示すもので、フラッシュ発光部６を有する表示部３が本体１背面から回転するため、フラッシュ発光部６の発光を、仮想線及び点線矢印で示すように、例えば天井に向けてバウンスさせて間接的に被写体に当てることで、１ランク上のバウンス撮影も可能になるという利点もある。
このような発光を天井に向けてバウンスさせる場合、フラッシュ発光部６を有する表示部３を本体１背面から９０°を超えて回転させる必要がある（矢印ロ参照）。
【００１９】
次に、図４は本発明を適用した撮像装置のブロック図で、図示のように、表示部３の表示画面４と、フラッシュ発光部６は、本体１に内蔵したＣＰＵ１０により制御される。
また、ＣＰＵ１０によって、本体１外面に設けられるシャッターボタン１１の操作に基づいて、本体１に内蔵したシャッター１２の開閉動作が制御されるとともに、フラッシュ発光部６の発光が制御される。
そして、表示部３には、本体１背面に重ねられた状態からの回転角度を検出する角度センサ１３が設けられ、この角度センサ１３の検出角度に基づいて、ＣＰＵ１０によりフラッシュ発光部６の発光が制御される。
【００２０】
図５は発光制御のフローチャートで、図示のように、先ず、表示部３を本体１背面から所定角度（９０°）を超えて回転したか否かが判断され（ステップＳ１）、所定角度（９０°）を超えていれば（ステップＳ１：ＹＥＳ）、次のステップＳ２に進み、所定角度（９０°）以下であれば（ステップＳ１：ＮＯ）、フラッシュ発光部６をＯＦＦにして（ステップＳ３）、ステップＳ１の処理に戻る。
そして、ステップＳ２では、シャッターボタン１１がＯＮか否かが判断され、ＯＮであれば（ステップＳ２：ＹＥＳ）、次のステップＳ４で、フラッシュ発光部６をＯＮにしてから、ステップＳ１の処理に戻る。
また、ステップＳ２において、シャッターボタン１１がＯＦＦであれば（ステップＳ２：ＮＯ）、ステップＳ１の処理に戻る。
【００２１】
このように、正立状態で表示部３が本体１上に所定の量を超えてチルトアップした状態において、フラッシュ発光部６をＯＮにしてフラッシュ発光させて撮影する。
また、表示部３の表示画面４が撮影レンズの撮影方向と反対の方向となっている状態においては、フラッシュ発光部３をＯＦＦにしてフラッシュ発光させないで撮影する。
【００２２】
以上、実施形態のカメラによれば、正立状態で本体１上部の横方向を回転の軸５として表示部３が本体１上にチルトアップした状態において表示画面４とフラッシュ発光部６が撮像素子の撮像方向と同一方向を向くことで、フラッシュ発光部６を撮影レンズ鏡筒２から十分に離してレンズケラレを回避することができる。
また、フラッシュ発光部６が撮影の邪魔にならず、多くの人数での自撮りを行なうことができる。
【００２３】
さらに、フラッシュ発光部３が撮影レンズ鏡筒２の上部に配置されるため、自撮り時のライティング方向として好ましい上部からの撮りおろし発光ができる。
【００２４】
（変形例）
以上の実施形態においては、表示部を本体背面から所定角度（９０°）を超えて回転させた状態でフラッシュ発光部を発光させたが、表示部が本体背面に重ねられた状態、及び本体背面から９０°以下の回転状態であってもフラッシュ発光部を発光させて、他の反射させる部材を利用することでバウンスさせて間接的に被写体に当ててバウンス撮影することは可能である。
また、その他、本体、表示部及び発光部の形状等は任意であり、具体的な細部構造等についても適宜に変更可能であることは勿論である。
【００２５】
以上、本発明のいくつかの実施形態を説明したが、本発明の範囲は、上述の実施の形態に限定するものではなく、特許請求の範囲に記載された発明の範囲とその均等の範囲を含む。
以下に、この出願の願書に最初に添付した特許請求の範囲に記載した発明を付記する。
付記に記載した請求項の項番は、この出願の願書に最初に添付した特許請求の範囲の通りである。
〔付記〕
＜請求項１＞
撮像装置であって、
当該撮像装置の正立状態で横方向の画素数が縦方向の画素数より多い撮像素子と、
本体に対し前記撮像素子の撮像方向と反対側に回転可能に取り付けられて、当該撮像装置の正立状態で前記本体上にチルトアップ可能な表示部と、
前記表示部の表示面と同一側で、且つ前記表示部が前記本体上にチルトアップした状態において上部となる位置に設けられた発光部と、を備え、
前記表示部は、当該撮像装置の正立状態で前記本体上部の横方向を回転の軸として前記本体上にチルトアップし、
当該撮像装置の正立状態で前記表示部が前記本体上にチルトアップした状態において前記表示面と前記発光部が前記撮像素子の撮像方向と同一方向を向くことを特徴とする撮像装置。
＜請求項２＞
前記表示部のチルトアップの状態を判定する状態判定手段と、
前記状態判定手段の判定結果に基づいて、前記発光部の発光を制御する発光制御手段と、
を備えることを特徴とする請求項１に記載の撮像装置。
＜請求項３＞
前記発光制御手段は、前記状態取得手段により、前記表示部が所定の量を超えてチルトアップした状態であると判定された場合、前記発光部での発光が可能となるように制御することを特徴とする請求項２に記載の撮像装置。
＜請求項４＞
前記発光制御手段は、前記状態取得手段により、前記表示部が前記所定の量を超えてチルトアップした状態ではないと判定された場合、前記発光部での発光を禁止するように制御することを特徴とする請求項２又は３に記載の撮像装置。
＜請求項５＞
撮像装置が正立状態において横方向の画素数が縦方向の画素数より多い撮像素子と、
前記撮像素子の撮像方向とは反対方向の本体に回転可能に取り付けられ、前記本体にチルトアップ可能な表示部と、
前記表示部の表示面と同一であり、且つ、チルトアップした状態において上部となる面に設けられた発光部と、を備え、
前記表示部は、当該撮像装置が正立状態における上面の横方向を回転の軸とし、当該撮像装置が正立状態における上面方向にチルトアップし、チルトアップした状態においては前記表示部の表示面と前記発光部は前記撮像素子の撮像方向と同一方向を向くことを特徴とする撮像装置の発光部制御方法であって、
前記表示部のチルトアップの状態を判定する状態判定ステップと、
前記状態判定ステップの判定結果に基づいて、前記発光部の発光を制御する発光制御ステップと、
を含む撮像装置の発光部制御方法。
＜請求項６＞
撮像装置が正立状態において横方向の画素数が縦方向の画素数より多い撮像素子と、
前記撮像素子の撮像方向とは反対方向の本体に回転可能に取り付けられ、前記本体にチルトアップ可能な表示部と、
前記表示部の表示面と同一であり、且つ、チルトアップした状態において上部となる面に設けられた発光部と、を備え、
前記表示部は、当該撮像装置が正立状態における上面の横方向を回転の軸とし、当該撮像装置が正立状態における上面方向にチルトアップし、チルトアップした状態においては前記表示部の表示面と前記発光部は前記撮像素子の撮像方向と同一方向を向くことを特徴とする撮像装置のコンピュータを、
前記表示部のチルトアップの状態を判定する状態判定手段、
前記状態判定手段の判定結果に基づいて、前記発光部の発光を制御する発光制御手段、
として機能させるプログラム。
【符号の説明】
【００２６】
１  本体
２  撮影レンズ鏡筒
３  表示部
４  表示画面
５  軸
６  フラッシュ発光部
【図１】
2017097079.tif 000003
【図２】
2017097079.tif 000004
【図３】
2017097079.tif 000005
【図４】
2017097079.tif 000006
【図５】
2017097079.tif 000007